【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
どの機能を対象となる原稿のために実行するかの設定をユーザから受付ける受付手段と、
前記ユーザの利用可能な機能の情報を記憶手段から取得する第１の取得手段と、
前記機能の対象となる原稿の二次元コードに含まれる情報を介して、当該原稿のために利用可能な機能の情報を前記記憶手段から取得する第２の取得手段と、
前記受付手段でユーザから設定を受付けた機能が、前記第１の取得手段で取得された利用可能な機能の情報に含まれていない場合であっても、前記第２の取得手段で取得された利用可能な機能の情報に含まれているときには、前記受付手段で設定を受付けた機能を前記原稿のために実行する第１の実行手段と
を備えたことを特徴とする画像処理装置。
【請求項２】
前記第１の取得手段で取得された利用可能な機能の情報と、前記第２の取得手段で利用可能な機能の情報とのうち何れか一つに利用可能な機能とされている機能を、利用可能な機能の情報とし、
前記受付手段で設定を受付けた機能が、利用可能な機能の情報の中に含まれている場合には、前記原稿に対して前記受付手段で設定を受付けた機能を実行する第２の実行手段をさらに備えたことを特徴とする請求項１に記載の画像処理装置。
【請求項３】
どの機能を対象となる原稿のために実行するかの設定をユーザから受付ける受付手段と、
前記ユーザの利用が禁止されている機能の情報を記憶手段から取得する第１の取得手段と、
前記機能の対象となる原稿の二次元コードに含まれる情報を介して、当該原稿のために利用が禁止されている機能の情報を前記記憶手段から取得する第２の取得手段と、
前記受付手段でユーザから設定を受付けた機能が、前記第１の取得手段で取得された利用が禁止されている機能の情報に含まれていない場合であっても、前記第２の取得手段で取得された利用が禁止された機能の情報に含まれているときには、前記受付手段で設定を受付けた機能を当該原稿のために実行することを禁止する第１の禁止手段と
を備えたことを特徴とする画像処理装置。
【請求項４】
前記第１の取得手段で取得された利用が禁止されている機能の情報と、前記第２の取得手段で利用が禁止されている機能の情報とのうち何れか一つに利用が禁止されている機能を、利用が禁止されている機能の情報とし、
前記受付手段で設定を受付けた機能が、利用が禁止されている機能の情報の中に含まれている場合には、前記原稿のために前記受付手段で設定を受付けた機能の実行を禁止する第２の禁止手段をさらに備えたことを特徴とする請求項３に記載の画像処理装置。
【請求項５】
前記画像処理装置を利用しているユーザの権限だけで、前記受付手段により受付けられた機能での複写は可能であったか否かを判定する判定手段をさらに備え、
前記判定手段により、前記画像処理装置を利用しているユーザの権限だけで、前記受付手段により指定された機能での複写が可能であったと判定された場合には、ユーザが使用した印刷紙の枚数またはユーザが使用した前記機能の使用回数を計数して、一定の枚数または回数を超えたときはそれ以上の使用を禁止し、
前記判定手段により、前記画像処理装置を利用しているユーザの権限だけで、前記受付手段により受付けられた機能での複写が可能ではなかったと判定された場合には、ユーザが使用した印刷紙の枚数またはユーザが使用した前記機能の使用回数を計数して、一定の枚数または回数を超えたときはそれ以上の使用を禁止することを特徴とする請求項１又は３に記載の画像処理装置。
【請求項６】
どの機能を対象となる原稿のために実行するかの設定をユーザから受付ける受付ステップと、
前記ユーザの利用可能な機能の情報を記憶手段から取得する第１の取得ステップと、
前記機能の対象となる原稿の二次元コードに含まれる情報を介して、当該原稿のために利用可能な機能の情報を前記記憶手段から取得する第２の取得ステップと、
前記受付ステップでユーザから設定を受付けた機能が、前記第１の取得ステップで取得された利用可能の機能の情報に含まれていない場合であっても、前記第２の取得ステップで取得された利用可能な機能の情報に含まれているときには、前記受付ステップで設定を受付けた機能を当該原稿のために実行する第１の実行ステップと
を備えたことを特徴とする画像処理方法。
【請求項７】
前記第１の取得ステップで取得された利用可能の機能の情報と、前記第２の取得ステップで利用可能な機能の情報とのうち何れか一つに利用可能な機能とされている機能を、利用可能な機能の情報とし、
前記受付ステップで設定を受付けた機能が、利用可能な機能の情報の中に含まれている場合には、前記原稿のために前記受付ステップで設定を受付けた機能を実行する第２の実行ステップをさらに備えたことを特徴とする請求項６に記載の画像処理方法。
【請求項８】
どの機能を対象となる原稿のために実行するかの設定をユーザから受付ける受付ステップと、
前記ユーザの利用が禁止されている機能の情報を記憶手段から取得する第１の取得ステップと、
前記機能の対象となる原稿の二次元コードに含まれる情報を介して、当該原稿のために
利用が禁止されている機能の情報を前記記憶手段から取得する第２の取得ステップと、
前記受付ステップでユーザから設定を受付けた機能が、前記第１の取得ステップで取得された利用が禁止されている機能の情報に含まれていない場合であっても、前記第２の取得ステップで取得された利用が禁止されている機能の情報に含まれているときには、前記受付ステップで設定を受付けた機能を当該原稿のために実行することを禁止する第１の禁止ステップと
を備えたことを特徴とする画像処理方法。
【請求項９】
前記第１の取得ステップで取得された利用が禁止されている機能の情報と、前記第２の取得ステップで利用が禁止されている機能の情報とのうち何れか一つに利用が禁止されている機能を、利用が禁止されている機能の情報とし、
前記受付ステップで設定を受付けた機能が、利用が禁止されている機能の情報の中に含まれている場合には、前記原稿のために前記受付ステップで設定を受付けた機能の実行を禁止する第２の禁止ステップをさらに備えたことを特徴とする請求項８に記載の画像処理方法。
【請求項１０】
前記画像処理方法を利用しているユーザの権限だけで、前記受付ステップにより受付けられた機能での複写は可能であったか否かを判定する判定ステップをさらに備え、
前記判定ステップにより、前記画像処理方法を利用しているユーザの権限だけで、前記受付ステップにより指定された機能での複写が可能であったと判定された場合には、ユーザが使用した印刷紙の枚数またはユーザが使用した前記機能の使用回数を計数して、一定の枚数または回数を超えたときはそれ以上の使用を禁止し、
前記判定ステップにより、前記画像処理方法を利用しているユーザの権限だけで、前記受付ステップにより指定された機能での複写が可能ではなかったと判定された場合には、ユーザが使用した印刷紙の枚数またはユーザが使用した前記機能の使用回数を計数して、一定の枚数または回数を超えたときはそれ以上の使用を禁止することを特徴とする請求項６又は８に記載の画像処理方法。
【請求項１１】
請求項６乃至１０のいずれかに記載の画像処理方法をコンピュータで実行させるためのプログラム。
【請求項１２】
請求項１１に記載のプログラムを格納したコンピュータで読み取り可能な記憶媒体。
【手続補正２】
【補正対象書類名】明細書
【補正対象項目名】００１１
【補正方法】変更
【補正の内容】
【００１１】
上記課題を解決するために、本発明に係る画像処理装置は、どの機能を対象となる原稿のために実行するかの設定をユーザから受付ける受付手段と、ユーザの利用可能な機能の情報を記憶手段から取得する第１の取得手段と、機能の対象となる原稿の二次元コードに含まれる情報を介して、原稿のために利用可能な機能の情報を記憶手段から取得する第２の取得手段と、受付手段でユーザから設定を受付けた機能が、第１の取得手段で取得された利用可能な機能の情報に含まれていない場合であっても、第２の取得手段で取得された利用可能な機能の情報に含まれているときには、受付手段で設定を受付けた機能を原稿のために実行する第１の実行手段とを備えたことを特徴とする。